(57)【要約】【課題】  被保持部材を保持してガタツキを抑える弾性保持リブを提供する。【解決手段】  弾性保持リブ２は、壁体としての周側壁３から突出する不動壁４と、基端側を周側壁３に連成して不動壁４を囲む可動保持壁５とを有する。また、弾性保持リブ２は、被保持部材に対する不動壁４及び可動保持壁５の各導入先端に、不動壁４の方が傾斜がきつくなり且つ可動保持壁５の方が被保持部材の導入方向下側に位置する導入案内斜面８、１１を有する。被保持部材は、二段階構成の斜面によって案内される。また、被保持部材は、可動保持壁５の弾性復元力により押さえ付けられる。【選択図】    図１
2006040805.tif 000002
【特許請求の範囲】
【請求項１】
壁体から突出する不動壁と、基端側を前記壁体に連成して前記不動壁を囲む可動保持壁とを有し、さらに、被保持部材に対する前記不動壁及び前記可動保持壁の各導入先端に、前記不動壁の方が傾斜がきつくなり且つ前記可動保持壁の方が前記被保持部材の導入方向下側に位置する導入案内斜面を有する
ことを特徴とする弾性保持リブ。
【請求項２】
請求項１に記載の弾性保持リブにおいて、
前記被保持部材はバッテリーのバッテリーポストに巻着する環状部を有するバッテリーターミナルに相当し、前記壁体は前記バッテリーターミナルと該バッテリーターミナルの前記環状部に連続する電線接続部に接続された一又は複数の接続端子とを覆うバッテリーターミナル用絶縁カバーの周側壁に相当する
ことを特徴とする弾性保持リブ。
【請求項３】
請求項２に記載の弾性保持リブにおいて、
前記バッテリーターミナル用絶縁カバーのカバー内部における係止用の嵌合係止部から離れた位置に配置形成する
ことを特徴とする弾性保持リブ。
【発明の詳細な説明】
【技術分野】
【０００１】
本発明は、被保持部材に弾性接触して保持を行う弾性保持リブに関する。
【背景技術】
【０００２】
被保持部材（保持の必要な部材）を筐体内に差し込んでガタツキなく収容したり、被保持部材を筐体でガタツキなく覆ったりする場合、筐体内には被保持部材に接触してガタツキを抑えるリブが必要になる（例えば特許文献１参照）。リブは、通常、筐体の壁から突出する帯板形状又は角柱形状に形成されている。
【特許文献１】特開２００２−３２９４９２号公報  （第５頁、第２図）
【発明の開示】
【発明が解決しようとする課題】
【０００３】
ところで、上記リブの形成に関し、リブの突出高さを高く形成すると、被保持部材を収容したり覆ったりする際に、リブをかじってしまうことから、機能の低下を招いてしまうという問題点を有している。また、逆にリブの突出高さを低く形成すると、リブと被保持部材との間に間隙が生じて、ガタツキを抑えることができないという問題点を有している。その他、リブは単なる壁や中実体であることから、被保持部材の寸法のバラツキや筐体の寸法のバラツキを十分に吸収することができないという問題点を有している。
【０００４】
本発明は、上述した事情に鑑みてなされたもので、被保持部材を保持してガタツキを抑える弾性保持リブを提供することを課題とする。
【課題を解決するための手段】
【０００５】
上記課題を解決するためになされた請求項１記載の本発明の弾性保持リブは、壁体から突出する不動壁と、基端側を前記壁体に連成して前記不動壁を囲む可動保持壁とを有し、さらに、被保持部材に対する前記不動壁及び前記可動保持壁の各導入先端に、前記不動壁の方が傾斜がきつくなり且つ前記可動保持壁の方が前記被保持部材の導入方向下側に位置する導入案内斜面を有することを特徴としている。
【０００６】
このような特徴を有する本発明によれば、動かない壁となる不動壁と、動く壁となる可動保持壁とを有しており、可動保持壁が被保持部材に対して弾性接触する。具体的には、先ず、不動壁の導入案内斜面に被保持部材が当接する。次に、被保持部材が不動壁の導入案内斜面を滑りながら案内される。その後、被保持部材が可動保持壁の導入案内斜面を同様に滑りながら案内される。被保持部材は、二段階構成の斜面により案内される。可動保持壁は、被保持部材が可動保持壁の導入案内斜面を滑って案内される際に徐々に撓み、被保持部材が可動保持壁の導入案内斜面を通過すると、被保持部材に対して可動保持壁が接触する。被保持部材は、弾性保持リブの弾性復元力によって保持される。弾性保持リブは、被保持部材に対して弾性接触することから、ある程度の寸法のバラツキを吸収する。
【０００７】
請求項２記載の本発明の弾性保持リブは、請求項１に記載の弾性保持リブにおいて、前記被保持部材はバッテリーのバッテリーポストに巻着する環状部を有するバッテリーターミナルに相当し、前記壁体は前記バッテリーターミナルと該バッテリーターミナルの前記環状部に連続する電線接続部に接続された一又は複数の接続端子とを覆うバッテリーターミナル用絶縁カバーの周側壁に相当することを特徴としている。
【０００８】
このような特徴を有する本発明によれば、弾性保持リブがバッテリーターミナルに対して弾性接触する。これにより、バッテリーターミナル用絶縁カバーのガタツキが抑えられる。弾性保持リブは、バッテリーターミナルに対して弾性接触することから、ある程度の寸法のバラツキを吸収する。
【０００９】
請求項３記載の本発明の弾性保持リブは、請求項２に記載の弾性保持リブにおいて、前記バッテリーターミナル用絶縁カバーのカバー内部における係止用の嵌合係止部から離れた位置に配置形成することを特徴としている。
【００１０】
このような特徴を有する本発明によれば、嵌合係止部の近傍は絶縁カバーのガタツキが小さいが、嵌合係止部から離れた位置ではガタツキが大きくなることから、そのガタツキの大きくなる部分に弾性保持リブが形成される。
【発明の効果】
【００１１】
請求項１に記載された本発明によれば、被保持部材を保持してガタツキを抑えることができるという効果を奏する。
【００１２】
請求項２に記載された本発明によれば、バッテリーターミナル用絶縁カバーのガタツキを抑えることができるという効果を奏する。また、これにより異音の発生を防止することができるという効果を奏する。
【００１３】
請求項３に記載された本発明によれば、よりよい位置に弾性保持リブを配置することができるという効果を奏する。
【発明を実施するための最良の形態】
【００１４】
以下、図面を参照しながら説明する。図１は本発明の弾性保持リブの一実施の形態を示す図であり、（ａ）は斜視図、（ｂ）は（ａ）のＡ−Ａ線断面図、（ｃ）は（ａ）のＢ−Ｂ線断面図である。
【００１５】
図１において、筐体１の内部には、本発明の弾性保持リブ２が一体に形成されている。具体的には、筐体１を構成する周側壁（壁体）３の内面に本発明の弾性保持リブ２が一体に形成されている。弾性保持リブ２は、筐体１に差し込まれて保持される被保持部材（図示省略）のガタツキを抑えるための部分であって、被保持部材に対して弾性接触するように形成されている。弾性保持リブ２は、周側壁３から突出する不動壁４と、不動壁４を囲む可動保持壁５とを有している（形状は一例であるものとする）。
【００１６】
可動保持壁５は、その基端側が周側壁３に連成されており、不動壁４に対して近接方向に撓むような弾性を有している。もう少し具体的に説明すると、不動壁４は、本形態において二つあり、間隔をあけて並ぶように配置されている（不動壁４の数は少なくとも一つあればよいものとする）。不動壁４は、周側壁３に対して直交するような帯板形状の壁であって、筐体１の開口縁部６から底壁７にかけて真っ直ぐ伸びるように形成されている。このような不動壁４には、導入案内斜面８が形成されている。その導入案内斜面８は、筐体１の開口縁部６側となる、被保持部材に対する導入先端に形成されている。導入案内斜面８は、可動保持壁５に向けて傾斜するように形成されている。
【００１７】
可動保持壁５は、一対の保持壁側部９と、保持壁接触部１０とを有して略コ字状となる形状に形成されている。保持壁側部９は、不動壁４の外側に配置されている。保持壁側部９の基端は、周側壁３に連成されている。また、保持壁側部９の中間から開口縁部６側までの間は、周側壁３に対して間隔があくように形成されている。その間隔は、可動保持壁５を不動壁４に対して近接方向に撓ませるために必要な部分として形成されている。
【００１８】
保持壁側部９の被保持部材に対する導入先端には、導入案内斜面１１が形成されている。保持壁側部９の導入案内斜面１１は、不動壁４の導入案内斜面８と同じ方向に傾斜する斜面であって、不動壁４の導入案内斜面８の方が傾斜がきつくなり且つ保持壁側部９の導入案内斜面１１の方が下側に位置するように配置形成されている。導入案内斜面８、１１は、二段階に案内をすることができるように配置形成されている（二段階構成の斜面にすることにより、可動保持壁５の撓みを確実に生じさせることが可能になる）。
【００１９】
尚、不動壁４が存在せず可動保持壁５のみである場合には、保持壁側部９の導入案内斜面１１の頂部に被保持部材が当接したままで、その被保持部材が導入案内斜面１１を滑らないような事態が生じてしまう恐れがある。そして、その後、被保持部材の差し込みを続けると、可動保持壁５が破損方向に変形してしまう恐れが多分にある（不動壁４と可動保持壁５とで二段階構成の斜面を形成すると、このような問題点は解消される）。
【００２０】
弾性保持リブ２の構成において、筐体１の内部に被保持部材を差し込んで収容しようとすると、先ず、不動壁４の導入案内斜面８に被保持部材が当接する。次に、被保持部材が不動壁４の導入案内斜面８を滑りながら案内される。その後、被保持部材が可動保持壁５の導入案内斜面１１を同様に滑りながら案内される。被保持部材は、二段階構成の斜面により案内される。可動保持壁５は、被保持部材が可動保持壁５の導入案内斜面１１を滑って案内される際に徐々に撓み、被保持部材が可動保持壁５の導入案内斜面１１を通過すると、被保持部材に対して可動保持壁５の保持壁接触部１０が接触する。被保持部材は、弾性保持リブ２の弾性復元力によって保持される。弾性保持リブ２は、被保持部材に対して弾性接触することから、ある程度の寸法のバラツキを吸収する。
【００２１】
次に、図２を参照しながら弾性保持リブ２の使用例を説明する。図２は弾性保持リブをバッテリーターミナル用絶縁カバーに設けた例（一例であり、バッテリーターミナル用絶縁カバー以外にも当然に設けることができるものとする）を示す斜視図である。
【００２２】
図２において、引用符号２１は本発明の弾性保持リブ２を設けたバッテリーターミナル用絶縁カバー（以下、絶縁カバーと略記する）を示している。その絶縁カバー２１は、上述の筐体１に相当する部材であって、絶縁性を有する合成樹脂材料の射出成形により形成されている。絶縁カバー２１は、バッテリーターミナル（被保持部材）２２と、そのバッテリーターミナル２２に接続された接続端子（図示省略）とを覆って短絡を防止することができるように形成されている。また、本形態の絶縁カバー２１は、上記接続端子を差し込んだ状態で取り付けられた電流センサ２３も覆うことができるように形成されている。
【００２３】
上記絶縁カバー２１は、絶縁カバー本体２４と、絶縁カバー本体２４から引き出された電線（図示省略）に取り付けられる電線取付部２５と、絶縁カバー本体２４及び電線取付部２５を連結する可撓性の可撓連結部２６と、を備えて構成されている。絶縁カバー本体２４は、天井壁（符号省略）と周側壁（壁体）２７とを有する箱形形状に形成されている。周側壁２７には、引き出し口２８と、側壁延長部２９とが形成されている。引き出し口２８は、電流センサ２３を引き出すために形成されている。側壁延長部２９は、電線（図示省略）の引き出し側に形成されている。側壁延長部２９の縁部には、可撓連結部２６の一端が連成されている。その可撓連結部２６の他端には、電線取付部２５が連成されている。
【００２４】
絶縁カバー本体２４の内部には、複数の位置決め部（図示省略）と、嵌合係止部３０と、浮き止め係止部３１と、弾性保持リブ２とが形成されている。上記位置決め部は、バッテリーターミナル２２や電流センサ２３等が当接可能となる部分であって、絶縁カバー２１とバッテリーターミナル２２との位置関係を保つことを目的として形成されている。
【００２５】
嵌合係止部３０は、絶縁カバー本体２４を係止するための部分であって、本形態においては、バッテリーターミナル２２の電線接続部（符号省略）に接続された接続端子（図示省略）の突出片に対して引っ掛かるように形成されている。嵌合係止部３０は、可撓性を有する片持ち形状の係止用突起として形成されている。
【００２６】
浮き止め係止部３１は、バッテリーターミナル２２における環状部３２の締め付け部３３に対して引っ掛かるように形成されている。浮き止め係止部３１は、可撓性を有する片持ち形状の突起として形成されている。浮き止め係止部３１は、嵌合係止部３０ほどの係止力を持たせる必要性はなく、絶縁カバー本体２４の浮き上がり（カバー取り外し方向の移動）を抑えることができればよいものとする。
【００２７】
絶縁カバー本体２４の内部の弾性保持リブ２は、上述の形態で説明したものと同じである。弾性保持リブ２は、嵌合係止部３０から離れた位置に配置形成されている（嵌合係止部３０から離れるほどガタツキが大きくなるため）。弾性保持リブ２の構成において、バッテリーターミナル２２を絶縁カバー本体２４で覆うと、環状部３２に不動壁４の導入案内斜面８が当接する。そして、環状部３２に対して導入案内斜面８が滑りながら案内され、その後、保持壁側部９の導入案内斜面１１が同様に滑りながら案内される。この時、可動保持壁５は徐々に撓み、環状部３２が保持壁側部９の導入案内斜面１１を通過すると、環状部３２に対して可動保持壁５の保持壁接触部１０が接触する。絶縁カバー本体２４は、その内部に環状部３２が恰も差し込まれた状態になる。絶縁カバー本体２４は、弾性保持リブ２の弾性復元力によって保持される。
【００２８】
上記構成において、バッテリーターミナル２２を絶縁カバー２１で覆うと、嵌合係止部３０が上記接続端子の突出片に係止され、これによって絶縁カバー２１は係止状態になる。この時、弾性保持リブ２は、バッテリーターミナル２２の環状部３２に対して弾性接触する。また、浮き止め係止部３１は、環状部３２に対して引っ掛かる。本発明によれば、弾性保持リブ２によって絶縁カバー２１のガタツキが抑えられる。弾性保持リブ２は、環状部３２に対して弾性接触することから、ある程度の寸法のバラツキを吸収する。
【００２９】
以上、図１及び図２を参照しながら説明してきたように、本発明によれば、被保持部材を保持してガタツキを抑えることができる。
【００３０】
その他、本発明は本発明の主旨を変えない範囲で種々変更実施可能なことは勿論である。
【図面の簡単な説明】
【００３１】
【図１】本発明の弾性保持リブの一実施の形態を示す図であり、（ａ）は斜視図、（ｂ）は（ａ）のＡ−Ａ線断面図、（ｃ）は（ａ）のＢ−Ｂ線断面図である。
【図２】弾性保持リブをバッテリーターミナル用絶縁カバーに設けた例を示す斜視図である。
【符号の説明】
【００３２】
１  筐体
２  弾性保持リブ
３  周側壁（壁体）
４  不動壁
５  可動保持壁
６  開口縁部
７  底壁（壁体）
８、１１  導入案内斜面
９  保持壁側部
１０  保持壁接触部
【図１】
2006040805.tif 000003
【図２】
2006040805.tif 000004